(57)【特許請求の範囲】
【請求項１】
長手方向軸線（Ａ）に従って延びる実質的に平行六面体の形状を有するシガレット包装体であって、
開口（１４）を備えた第１包装部材（２）と、
前記長手方向軸線（Ａ）と平行に位置するシガレット（５）の群（４）を収容する、前記第１包装部材（２）の内部の第２包装部材（３）にして、前記開口（１４）に向いた長手方向端部が、前記シガレット（５）を抜き取るための開口（２４）を具備する第２包装部材（３）と、を具備するシガレット包装体において、
該シガレット包装体が、前記第１包装部材（２）と前記第２包装部材（３）との間に挟まれた滑り要素（１８）を具備し、前記滑り要素（１８）が、前記第２包装部材（３）の前記開口（２４）を覆う位置と、前記第２包装部材の前記開口を露出させる露出位置との間で移動することができることを特徴とする、シガレット包装体。
【請求項２】
前記第１包装部材（２）が、底壁（７）と、前記長手方向軸線（Ａ）に平行に位置する４つの横壁とによって形成された箱形本体（６）を具備しており、前記横壁が、より大きい前壁（８）と、より大きい後壁（９）と、より小さい側壁（１０）とを具備する請求項１に記載の包装体であって、
前記滑り要素（１８）が、前記第２包装部材（３）を取り囲む帯状体（１９）であり、前記帯状体（１９）が、長手方向軸線（Ａ）を横切る方向の、前記箱形本体（６）のより小さい側壁（１０）に対して垂直な第２軸線（Ｂ）の周りでループを形成するとともに、前記第２包装部材（３）の前記開口（２４）と前記露出位置で合致するように形成された開口（２３）を具備することを特徴とする、請求項１に記載の包装体。
【請求項３】
前記箱形本体（６）の少なくとも１つの前記より大きい横壁（８，９）が、前記滑り要素（１８）のための操作区域を形成する開口（１５）を具備することを特徴とする、請求項２に記載の包装体。
【請求項４】
前記滑り要素（１８）が、前記箱形本体（６）の前記後壁（９）と、固定区域（２０）において一体的であることを特徴とする、請求項２又は３に記載の包装体。
【請求項５】
ヒンジ線（１３）によって前記後壁（９）に接合されたフード型の蓋（１１）を具備する請求項４に記載の包装体であって、前記蓋（１１）は、該蓋（１１）が前記箱形本体（６）を閉じる位置と、該蓋（１１）が開いている位置との間で移動することができ、前記蓋（１１）が開いている位置は、前記第２包装部材（３）が、前記滑り要素（１８）の動作に起因して出現するのを可能にするように構成されていることを特徴とする、請求項４に記載の包装体。
【請求項６】
前記第１包装部材（２）はその上端部（１２）にミシン目線（２５）によって形成された蓋（１７）を具備しており、前記蓋（１７）が、取り外し可能なパネル（２６）を形成していることを特徴とする、請求項１に記載の包装体。
【請求項７】
前記第１包装部材（２）内部で前記第２包装部材（３）を係止するための係止手段（２７）を具備することを特徴とする、請求項６に記載の包装体。
【請求項８】
前記係止手段が、前記第１包装部材（２）の前記開口（１４）に位置する少なくとも１つの壁を具備しており、前記開口（１４）が、前記取り外し可能なパネル（２６）を取り外すことにより形成されることを特徴とする、請求項７に記載の包装体。
【請求項９】
前記滑り要素（１８）が、前記第２包装部材（３）を取り囲む帯状体（１９）であり、前記帯状体（１９）は、長手方向軸線（Ａ）を横切る方向の、前記第１包装部材（２）のより小さい側壁（１０）に対して垂直な第２軸線（Ｂ）の周りでループを形成するとともに、前記第２包装部材（３）の前記開口（２４）と、前記第１包装部材（２）の前記開口（１４）とに前記露出位置で合致するように形成された開口（２３）を具備することを特徴とする、請求項６から８までのいずれか１項に記載の包装体。
【請求項１０】
前記滑り要素（１８）が、摩擦係数の低い材料から形成されていることを特徴とする、請求項１から９までのいずれか１項に記載の包装体。
【発明の詳細な説明】
【技術分野】
【０００１】
本発明は、特に剛性タイプのシガレット包装体に関する。
【背景技術】
【０００２】
周知のように、剛性タイプのシガレット包装体は主として、平行六面体の形状を有しており、そして通常は銀紙から形成されてシガレット群を取り囲む内側包装部材と、板紙から形成された外側包装部材とを具備しており、前記外側包装部材は箱形本体とヒンジ付き蓋とから成る。箱形本体に固定され、箱形本体と蓋との結合を形成するカラーが、蓋の閉じられたときの安定性を保証する。包装体は、使用する瞬間まで包装体のための気密シールを保証することができる、透明な熱可塑性材料から作られた上包み材によって完成される。
【０００３】
このようにして、シガレット内のタバコは、その適正な湿分レベル及びその芳香を維持する。
【０００４】
包装体が開封されるときには、保護用上包み材が引き裂かれて、少なくとも部分的に取り外され、そして蓋を開けた後、「プル」と呼ばれる銀紙から形成された内側包装部材の一部が同様に取り外されることも知られている。
【０００５】
このことは、包装体を開封した瞬間からその内容物全てが使用されるまで、包装体内のシガレットが外部環境から保護されずに、急速に酸化し、そしてその湿分及び芳香の適正なレベルを失う傾向があることを意味する。強力なシール作用を有する包装体の必要性が、ニコチン含有率が低く芳香が強い「ライト」なシガレットの場合に特に感じられる。
【発明の概要】
【発明が解決しようとする課題】
【０００６】
従って本発明の目的は上記欠点を克服するシガレット包装体を提供することである。
【課題を解決するための手段】
【０００７】
従って、本発明は、添付の特許請求の範囲の請求項のうちの１つ又は２つ以上のものに記載されたシガレット包装体を提供する。
【０００８】
好ましい非限定的な実施態様を示す添付の図面を参照しながら、以下に本発明を説明する。
【図面の簡単な説明】
【０００９】
【図１】図１は、本発明によるシガレット包装体を、閉じた状態で示す斜視図である。
【図２】図２は、本発明によるシガレット包装体を、内側包装部材がその全開位置まで引き出された、開いた状態で示す斜視図である。
【図３】図３は、本発明によるシガレット包装体を、内側包装部材が部分的に閉じられて外側包装部材内部に部分的に位置している状態で示す斜視図である。
【図４】図４は、図１の包装体を示す側面図である。
【図５】図５は、図１の包装体を示す側面図である。
【図５ａ】図５ａは、図１の包装体を示す断面図である。
【図６】図６は、図１の包装体の構成要素部分を示す斜視図である。
【図６ａ】図６ａは、図１の包装体の構成要素部分を示す斜視図である。
【図６ｂ】図６ｂは、図１の包装体の構成要素部分を示す斜視図である。
【図７】図７は、本発明によるシガレット包装体の第２実施態様を、閉じられた状態で示す斜視図である。
【図８】図８は、本発明によるシガレット包装体の第２実施態様を、開いた状態で示す斜視図である。
【図９】図９は、図７及び８に示された包装体の構成要素部分のうちの１つを示す斜視図である。
【図１０】図１０は、図７及び８に示された包装体の構成要素部分のうちの１つを示す斜視図である。
【発明を実施するための形態】
【００１０】
図１〜６及び７及び８を参照すると、符号１によって全体を示されたシガレット包装体は実質的に、長手方向軸線Ａを備えた直方体の形状を有しており、また板紙から形成された外側包装部材２と、板紙から形成された内側包装部材３とを具備している。内側包装部材３は、シガレット５の群４と直接に接触した状態で位置しており、シガレットは軸線Ａと平行に位置している。
【００１１】
外側包装部材２は、下壁又は底壁７と、軸線Ａと平行な４つの横壁とによって形成された箱形本体６を具備している。これらの横壁は、より大きい前壁８、より大きい後壁９、及びより小さい２つの側壁１０から成っている。
【００１２】
具体的には、図１〜６に示した実施態様の場合、上壁又は上端壁１２を有するフード型の蓋１１が、軸線Ａを横切るヒンジ１３によって後壁９の上端部に結合されていることにより、箱形本体６の符号１４が付けられた開口１４が閉じられた位置と、開口１４が開いた位置との間で、蓋１１が移動することができるようになっている。
【００１３】
外側包装部材２の前壁８には、実質的に方形の開口１５が設けられている。この開口１５の機能については、以下に詳しく説明する。
【００１４】
開口１４が配置されている箱形本体６の端部に、内側包装部材３は、シガレット５を把持して抜き取るのを可能にするように形成された開口２４を有している。
【００１５】
外側包装部材２と内側包装部材３との間には、滑り要素１８が挟まれている（図６ａ）。滑り要素１８は、摩擦係数が低い材料から成る帯状体１９を具備する。この帯状体１９は軸線Ｂの周りでループ状に閉じられており、前記軸線Ｂは軸線Ａを横切る方向であり且つ箱形本体６の側壁１０に対して垂直である。
【００１６】
符号２０は、後壁９の内面に帯状体１９を固定するための、底壁７と上端部１２との間の中間位置を示している（図５ａ及び６）。前記固定は、シーリング作業によって、又は接着剤を使用して行うことができる。
【００１７】
環状帯状体１９は開口２３を具備している。この開口２３は、図１を参照すると（帯状体１９の開口２３は破線で示されている）、すなわち内側包装部材３が箱形本体６内に完全に収納されているときには、前壁８の開口１５と、開口１４が配置された箱形本体６の端部との間に位置する。
【００１８】
実際には、蓋１１を開いた後、使用者は前壁８の開口１５を通して環状帯状体１９に係合して、軸線Ａに従ってそして矢印Ｆ１に従って箱形本体６の開口１４に向かう押し動作を帯状体に加えることによって、内側包装部材３を、これが所定の最終位置に達するまで箱形本体６から部分的に出現させるようになっている。
【００１９】
前壁８の側から帯状体１９に加えられた押し動作は、後壁９の位置２０に帯状体１９を固定することによってもたらされる停止動作とともに、軸線Ｂを中心とする帯状体１９の回転運動を生み出し（図２で見て反時計回り方向）、内側包装部材３の壁に対して帯状体を滑動させる。その結果、最終位置で、帯状体１９の開口２３は、フォイル内側包装部材３の開口２４に重なり合うことになる。
【００２０】
このような状態において、ほぼ重なりあった２つの開口２３及び２４は、使用者が群４からシガレット５を抜き取るのを可能にする（図２）。個々のシガレット５の抜き取りは、シガレットの端部が箱形本体６の外側に突出するという事実によって容易になる。
【００２１】
一旦シガレットが使用者によって抜き取られたら、軸線Ａ及び矢印Ｆ２に従う箱形本体６の底壁７に向かう押し動作を環状帯状体１９に加えることによって、帯状体１９が軸線Ｂを中心として回転させられることにより（図３で見て時計回り方向）、帯状体１９は、それが開口２３及び２４が重ね合わされた位置に達するのを可能にした滑動方向とは反対方向に、内側包装部材３上を滑動するようになり、そして帯状体１９が内側包装部材３の開口２４を徐々に再び閉じることを可能にする（図３参照、ここでは帯状体１９が開口２４をまさに完全に閉じようとしている中間位置を示している）。
【００２２】
結果として、上記最終位置から出発して、矢印Ｆ２に従って時計回り方向（図３）に行われる帯状体１９の運動は、内側包装部材３が箱形本体６内に再び挿入されるのを可能にし、ひいては蓋１１が閉じられるのを可能にする。
【００２３】
このステップの終わりには、内側包装部材３に対して帯状体１９が滑動する結果、開口２３は再びその出発位置（図１）で、箱形本体６の開口１５と開口１４との間に位置し、ひいては包装体１が少しでもシガレットを収容する限り、シガレット５の最適な保護を保証する。
【００２４】
図７〜１０に示された実施態様は、この場合には環状帯状体１９が外側包装部材２の箱形本体６に拘束されておらず、また包装体１の外側包装部材２が図１〜６に示された実施態様のようなフード型の蓋１１を有していないという事実により、前に例示した実施態様とは異なる。
【００２５】
外側包装部材２はその上端部１２に蓋１７を具備しており、この蓋１７の縁部は、取り外し可能なパネル２６を画定するミシン目線２５によって形成されている。一旦パネル２６が取り外されたら、包装体１は上端部に、箱形本体６の開口１４を備える。箱形本体６は図７〜１０の実施態様では外側包装部材２と一致する（図８）。
【００２６】
開口１４の対向する長手方向端部は、底壁７と平行な２つの壁２７に隣接する。前記２つの壁２７は、外側包装部材２内部に内側包装部材３を保持するように構成された停止手段を形成している。
【００２７】
この実施態様でもやはり、内側包装部材３は板紙から形成されており、そして帯状体１９は、内側包装部材３の開口２４及び外側包装部材２の開口１４とほぼ等しい開口２３を具備している。
【００２８】
なお、外側包装部材２と同様に、内側包装部材３も、壁２７ａによって２つの長手方向端部で閉じられた開口２４を有している（図１０）。これらの壁２７ａは、包装体１が完成している場合、外側包装部材２の壁２７の下側に位置していて、これらの壁の間に環状帯状体１９が挟まれている。実際には、一旦パネル２６が取り外されると、前壁８の開口１５を通して、使用者は指によって環状帯状１９と係合して、矢印Ｆ１に従って外側包装部材２の開口１４に向かう軸方向押し動作を帯状体に加える。
【００２９】
内側包装部材３の壁２７ａが押圧する壁２７の存在に起因して、内側包装部材３が外側包装部材２の内部で係止されるので、前記押し動作は、内側包装部材３に対する、そして外側包装部材２に対する環状帯状体１９の滑動だけを引き起こす。
【００３０】
図７及び８に示されているように、帯状体１９の滑動を容易にするために、外側包装部材２はまた、その後壁９にも開口１５を具備している。前記相対的滑動の結果として、帯状体１９の開口２３は、内側包装部材３の開口２４に徐々に重ね合わされ、そして外側包装部材２の開口１４と合致し（図８参照、ここには、開口２４及び１４が完全に閉じられている位置と、完全に開いている位置との間の中間位置に、帯状体１９があることが示されている）、かくしてシガレット５の抜き取りが可能になる。
【００３１】
一旦シガレットが抜き取られたら、使用者は図８の矢印Ｆ２に従って外側包装部材２の底壁７に向かう押し動作を環状帯状体１９に加えることによって、開口２３は、図８に示されているようなその出発位置、すなわち蓋１７の下方に戻される。
【００３２】
この第２実施態様も、包装体１が少しでもシガレットを収容する限り、シガレットの最適な保護を保証する。
【図１】
0005872777.tif 000002
【図２】
0005872777.tif 000003
【図３】
0005872777.tif 000004
【図４】
0005872777.tif 000005
【図５】
0005872777.tif 000006
【図５ａ】
0005872777.tif 000007
【図６】
0005872777.tif 000008
【図６ａ】
0005872777.tif 000009
【図６ｂ】
0005872777.tif 000010
【図７】
0005872777.tif 000011
【図８】
0005872777.tif 000012
【図９】
0005872777.tif 000013
【図１０】
0005872777.tif 000014